(57)【特許請求の範囲】
【請求項１】
電力消費体に搭載される複数のバッテリパックについて、バッテリステーションにおける貸し出し予約を行うバッテリ予約装置であって、
前記電力消費体の使用者から、貸し出しを希望する総電力量に関する情報が入力される入力受付部と、
前記電力消費体に搭載可能な前記バッテリパックの数に関する情報を取得するバッテリ数取得部と、
前記バッテリ数取得部において取得された前記バッテリパックの数と前記入力受付部に入力された前記貸し出しを希望する総電力量に関する情報とに基づいて、それぞれの前記バッテリステーションにおいて貸し出し可能な前記バッテリパックの数および容量を算出する貸出個数容量算出部と、
を備えているバッテリ予約装置。
【請求項２】
前記入力受付部に入力される前記総電力量に関する情報には、貸し出し時間、支払い金額、走行予定距離、貸し出しを希望する電力量、消費予定の電力量、のうちのいずれか１つが含まれる、
請求項１に記載のバッテリ予約装置。
【請求項３】
前記入力受付部では、段階的に設定された複数の選択肢の中から前記使用者に選択された入力情報を受け付ける、
請求項２に記載のバッテリ予約装置。
【請求項４】
前記入力受付部には、前記バッテリステーションにおける前記バッテリパックの受け取り希望時間に関する情報がさらに入力される、
請求項１から３のいずれか１項に記載のバッテリ予約装置。
【請求項５】
前記貸出個数容量算出部において算出された貸し出し可能な前記バッテリパックの数、容量に基づいて、前記バッテリパックの貸し出しが可能な前記バッテリステーションを提示するバッテリステーション選択部を、さらに備えている、
請求項１から４のいずれか１項に記載のバッテリ予約装置。
【請求項６】
前記バッテリステーション選択部は、複数の選択肢を提示する際には、現在地から前記バッテリステーションまでの距離、貸し出し個数、貸し出し料金、前記バッテリステーションにおける待ち時間のうち、少なくとも１つに基づいて、予約候補となる前記バッテリステーションの優先順位を設定する、
請求項５に記載のバッテリ予約装置。
【請求項７】
前記貸出個数容量算出部において算出された貸し出し可能な前記バッテリパックの数、容量に基づいて、前記バッテリパックの充放電計画を作成する充放電計画作成部を、さらに備えている、
請求項１から６のいずれか１項に記載のバッテリ予約装置。
【請求項８】
前記電力消費体は、電動自動二輪車、電動自転車、電動アシスト自転車、電気自動車、ＰＨＶ（Plug-in Hybrid Vehicle）を含むモビリティである、
請求項１から７のいずれか１項に記載のバッテリ予約装置。
【請求項９】
電力消費体に搭載される複数のバッテリパックについて、バッテリステーションにおける貸し出し予約を行うバッテリ予約装置を用いたバッテリ予約方法であって、
前記バッテリ予約装置のバッテリ数取得部が、前記電力消費体に搭載可能なバッテリパックの数に関する情報を取得するバッテリ数取得ステップと、
前記バッテリ予約装置の入力受付部が、前記電力消費体の使用者から、貸し出しを希望する総電力量に関する情報が入力される入力受付ステップと、
前記バッテリ予約装置の貸出個数容量算出部が、前記バッテリ数取得ステップにおいて取得された前記バッテリパックの数と前記入力受付ステップにおいて入力された前記貸し出しを希望する総電力量に関する情報とに基づいて、それぞれの前記バッテリステーションにおいて貸し出し可能な前記バッテリパックの数および容量とを算出する貸出個数容量算出ステップと、
を備えているバッテリ予約方法。
【発明の詳細な説明】
【技術分野】
【０００１】
本発明は、複数のバッテリパックが搭載される電力消費体のために、バッテリステーションにおけるバッテリの貸し出し予約を行うバッテリ予約装置およびバッテリ予約方法に関する。
【背景技術】
【０００２】
近年、電動自動二輪車や電動自転車等のモビリティに搭載されたバッテリパックを、充電済みのバッテリパックを保有するバッテリステーションにおいて交換しながら利用するシステムが構築されている。
このように、バッテリパックを貸し出す場合には、バッテリステーションにおけるバッテリパックの貸し出しを予約するシステムが用いられる場合がある。
【０００３】
例えば、特許文献１には、医療機器の使用に必要な電力量、目的地までの走行に必要な電力量、現在のバッテリ残量等に基づいて、電気自動車による回診が可能か否かを判定する可搬型医療機器の充電池管理装置について開示されている。
【先行技術文献】
【特許文献】
【０００４】
【特許文献１】特開２０１１−２５３７２７号公報
【発明の概要】
【発明が解決しようとする課題】
【０００５】
しかしながら、上記従来の充電池管理装置では、以下に示すような問題点を有している。
すなわち、上記公報に開示された充電池管理装置では、バッテリステーションにおけるバッテリパックの貸し出しの予約をする場合には、使用者による予約操作が複雑化しやすいという問題がある。
【０００６】
具体的には、使用者は、バッテリステーションにおいて貸し出し予約するバッテリパックの個数、個々のバッテリパックの電力量等を入力する必要があるため、必要な予約情報を直感的に操作入力することは困難であった。
本発明の課題は、複数のバッテリパックが搭載される電力消費体のためのバッテリパックの貸し出しの予約時における操作を簡素化することが可能なバッテリ予約装置およびバッテリ予約方法を提供することにある。
【課題を解決するための手段】
【０００７】
第１の発明に係るバッテリ予約装置は、電力消費体に搭載される複数のバッテリパックについて、バッテリステーションにおける貸し出し予約を行うバッテリ予約装置であって、入力受付部と、バッテリ数取得部と、貸出個数容量算出部と、を備えている。入力受付部は、電力消費体の使用者から、貸し出しを希望する総電力量に関する情報が入力される。バッテリ数取得部は、電力消費体に搭載可能なバッテリパックの数に関する情報を取得する。貸出個数容量算出部は、バッテリ数取得部において取得されたバッテリパックの数と入力受付部に入力された貸し出しを希望する総電力量に関する情報とに基づいて、それぞれのバッテリステーションにおいて貸し出し可能なバッテリパックの数および容量を算出する。
【０００８】
ここでは、電力消費体に搭載される複数のバッテリパックの貸し出しをバッテリステーションに予約する際に、使用者から、貸し出しを希望する総電力量に関する情報が入力されると、電力消費体に搭載可能なバッテリパックの数に基づいて、各バッテリステーションにおいて貸し出し可能なバッテリパックの数および容量を算出する。
ここで、使用者から入力される総電力量に関する情報には、例えば、総電力量の数値、多中小等の定性的な総電力量表現による入力、貸し出し後の走行予定距離等の情報が含まれる。
【０００９】
また、電力消費体としては、例えば、電動自動二輪車、電動自転車、電動アシスト自転車、電動一輪車、電気自動車（ＥＶ）、ＰＨＶ（Plug-in Hybrid Vehicle）等のモビリティ、その他の交換可能なバッテリによって駆動される各種電気製品等が含まれる。
さらに、電力消費体に搭載可能なバッテリパックの数に関する情報は、直接的に取得してもよいし、電力消費体に固有の番号等を用いて間接的に取得してもよい。
【００１０】
これにより、バッテリパックの貸し出し予約を行う使用者は、貸し出しを希望する総電力量に関する情報を入力するだけで、各バッテリステーションにおいて貸し出し可能なバッテリパックの本数と容量とが提示される。
この結果、電力消費体に複数搭載された個々のバッテリパックのバッテリ残量等を確認して入力する必要がないため、バッテリパックの貸し出し予約時における操作を簡素化することができる。
【００１１】
第２の発明に係るバッテリ予約装置は、第１の発明に係るバッテリ予約装置であって、入力受付部に入力される総電力量に関する情報には、貸し出し時間、支払い金額、走行予定距離、貸し出しを希望する電力量、消費予定の電力量、のうちのいずれか１つが含まれる。
ここでは、電力消費体に複数搭載されるバッテリパックの貸し出し予約をする際に入力が必要な総電力量に関する情報として、貸し出し時間、支払い金額、走行予定距離、貸し出しを希望する電力量、消費予定の電力量等の情報のうち少なくとも１つを用いる。
【００１２】
ここで、貸し出し時間が入力される場合には、現在の時刻と貸し出し時間とに基づいて貸し出しが必要な電力量を算出すればよい。なお、貸し出し時間と必要電力量とが関連付けされたテーブル等を用いて、必要な電力量を算出してもよい。また、消費予定の電力量としては、例えば、電力消費体がモビリティである場合には、バッテリパック貸し出し後の走行予定距離に対応する電力量や、走行予定距離の数値等も含まれる。
【００１３】
これにより、使用者は、バッテリパックの貸し出し予約をする際には、より簡素な入力操作によって、貸し出し可能なバッテリステーションの予約をすることができる。
第３の発明に係るバッテリ予約装置は、第２の発明に係るバッテリ予約装置であって、入力受付部では、段階的に設定された複数の選択肢の中から使用者に選択された入力情報を受け付ける。
【００１４】
ここで、段階的に設定された複数の選択肢としては、例えば、貸し出しが必要な総電力量として、多・中・小等の段階的な量の表示が考えられる。
これにより、使用者は、貸し出しが必要な総電力量について、感覚的に選択肢を選ぶだけで、容易にバッテリステーションの予約をすることができる。
第４の発明に係るバッテリ予約装置は、第１から第３の発明のいずれか１項に係るバッテリ予約装置であって、入力受付部には、バッテリステーションにおけるバッテリパックの受け取り希望時間に関する情報がさらに入力される。
【００１５】
ここでは、電力消費体に複数搭載されるバッテリパックの貸し出し予約をする際に入力されるその他の情報として、バッテリパックの受け取り希望時間が入力される。
これにより、使用者は、希望する時間帯（受け取り希望時間）に所望の容量のバッテリパックの貸し出しが可能なバッテリステーションを選択して、バッテリパックの貸し出し予約をすることができる。
【００１６】
第５の発明に係るバッテリ予約装置は、第１から第４の発明のいずれか１つに係るバッテリ予約装置であって、貸出個数容量算出部において算出された貸し出し可能なバッテリパックの数、容量に基づいて、バッテリパックの貸し出しが可能なバッテリステーションを提示するバッテリステーション選択部を、さらに備えている。
ここでは、上述した貸出個数容量算出部において算出された貸し出し可能なバッテリパックの数と容量とを満たすバッテリステーションを、使用者に選択可能な状態で提示する。
【００１７】
これにより、使用者は、貸し出しを希望する総電力量に関する情報を入力するだけで、必要な条件を満たすバッテリパックの数と容量とを用意できるバッテリステーションを容易に選択することができる。
第６の発明に係るバッテリ予約装置は、第１から第５の発明のいずれか１つに係るバッテリ予約装置であって、バッテリステーション選択部は、複数の選択肢を提示する際には、現在地からバッテリステーションまでの距離、貸し出し個数、貸し出し料金、バッテリステーションにおける待ち時間のうち、少なくとも１つに基づいて、予約候補となるバッテリステーションの優先順位を設定する。
【００１８】
ここでは、バッテリステーション選択部において提示された複数の予約候補となるバッテリステーションについて、現在地からバッテリステーションまでの距離、貸し出し個数、貸し出し料金、バッテリステーションにおける待ち時間等の情報を用いて優先順位を設定する。
これにより、使用者は、予約先候補として提示された複数のバッテリステーションのうち、例えば、現在位置から近い順、貸し出し個数が少ない順、貸し出し料金が安い順、待ち時間が短い順に提示されたバッテリステーションの中から希望するバッテリステーションを選択して予約することができる。
【００１９】
第７の発明に係るバッテリ予約装置は、第１から第６の発明のいずれか１つに係るバッテリ予約装置であって、貸出個数容量算出部において算出された貸し出し可能なバッテリパックの数、容量に基づいて、バッテリパックの充放電計画を作成する充放電計画作成部を、さらに備えている。
ここでは、充放電計画作成部において、予約されたバッテリステーションにおいて管理されている複数のバッテリパックの充電・放電の計画を作成する。
【００２０】
これにより、予約情報に基づいて、受け取り希望時間までに必要なバッテリパックの数、容量が用意するとともに、他の予約の受付ができるように、バッテリステーションにおけるバッテリパックの充放電を制御することができる。
第８の発明に係るバッテリ予約装置は、第１から第７の発明のいずれか１つに係るバッテリ予約装置であって、電力消費体は、電動自動二輪車、電動自転車、電動アシスト自転車、電気自動車、ＰＨＶ（Plug-in Hybrid Vehicle）を含むモビリティである。
【００２１】
ここでは、所定の電力消費体として、電動自動二輪車、電動自転車等のモビリティを用いている。
これにより、例えば、所定のバッテリステーション等において、バッテリ残量が少ないバッテリパックを充電済みのバッテリパックと交換しながら使用されるモビリティにおいて、貸し出しを希望するバッテリパックの予約を、簡単な操作によって実施することができる。
【００２２】
第９の発明に係るバッテリ予約方法は、電力消費体に搭載される複数のバッテリパックについて、バッテリステーションにおける貸し出し予約を行うバッテリ予約方法であって、入力受付ステップと、バッテリ数取得ステップと、貸出個数容量算出ステップと、を備えている。入力受付ステップは、電力消費体の使用者から、貸し出しを希望する総電力量に関する情報が入力される。バッテリ数取得ステップは、電力消費体に搭載可能なバッテリパックの数に関する情報を取得する。貸出個数容量算出ステップは、バッテリ数取得ステップにおいて取得されたバッテリパックの数と入力受付ステップにおいて入力された貸し出しを希望する総電力量に関する情報とに基づいて、それぞれのバッテリステーションにおいて貸し出し可能なバッテリパックの数および容量を算出する。
【００２３】
ここでは、電力消費体に搭載される複数のバッテリパックの貸し出しをバッテリステーションに予約する際に、使用者から、貸し出しを希望する総電力量に関する情報が入力されると、電力消費体に搭載可能なバッテリパックの数に基づいて、各バッテリステーションにおいて貸し出し可能なバッテリパックの数および容量を算出する。
ここで、使用者から入力される総電力量に関する情報には、例えば、総電力量の数値、多中小等の定性的な総電力量表現による入力、貸し出し後の走行予定距離等の情報が含まれる。
【００２４】
また、電力消費体としては、例えば、電動自動二輪車、電動自転車、電動アシスト自転車、電動一輪車、電気自動車（ＥＶ）、ＰＨＶ（Plug-in Hybrid Vehicle）等のモビリティ、その他の交換可能なバッテリによって駆動される各種電気製品等が含まれる。
さらに、電力消費体に搭載可能なバッテリパックの数に関する情報は、直接的に取得してもよいし、電力消費体に固有の番号等を用いて間接的に取得してもよい。
【００２５】
これにより、バッテリパックの貸し出し予約を行う使用者は、貸し出しを希望する総電力量に関する情報を入力するだけで、各バッテリステーションにおいて貸し出し可能なバッテリパックの本数と容量とが提示される。
この結果、電力消費体に複数搭載された個々のバッテリパックのバッテリ残量等を確認して入力する必要がないため、バッテリパックの貸し出し予約時における操作を簡素化することができる。
【発明の効果】
【００２６】
本発明に係るバッテリ予約装置によれば、複数のバッテリパックが搭載される電力消費体のためのバッテリパックの貸し出しの予約時における操作を簡素化することができる。
【図面の簡単な説明】
【００２７】
【図１】本発明の一実施形態に係るバッテリ予約装置によって貸し出し予約される複数のバッテリパックが搭載されるモビリティの構成を示す図。
【図２】図１のモビリティに搭載される複数のバッテリパックの貸し出し予約を行うバッテリ予約装置の構成を示すブロック図。
【図３】図２のバッテリ予約装置に対してバッテリパックの貸し出し予約を行う際に、モビリティの表示部に表示される予約入力画面を示す図。
【図４】図３の入力画面から入力された貸し出しを希望する総電力量を満たすバッテリパックの組合せとして、交換個数、１個当たりの容量、優先順位、予約の可否を示すテーブル。
【図５】各バッテリパックのバッテリ残量と予約の有無を示すテーブル。
【図６】図２のモビリティの表示部に表示され、貸し出し可能なバッテリパックの個数、貸し出し価格を含むバッテリステーションの選択を行う予約入力画面を示す図。
【図７】図２のモビリティの表示部に表示される予約確認を行う予約入力画面を示す図。
【図８】図２のバッテリ予約装置において処理されるバッテリ予約方法の流れを示すフローチャート。
【図９】本発明の他の実施形態に係るバッテリ予約装置に対してバッテリパックの貸し出し予約を行う際に、モビリティの表示部に表示される予約入力画面を示す図。
【図１０】本発明のさらに他の実施形態に係るバッテリ予約装置に対してバッテリパックの貸し出し予約を行う際に、モビリティの表示部に表示される予約入力画面を示す図。
【発明を実施するための形態】
【００２８】
本発明の一実施形態に係るバッテリ予約装置について、図１〜図８を用いて説明すれば以下の通りである。
本実施形態に係るバッテリ予約装置１０は、図１に示す電動自動二輪車等のモビリティ２０に交換可能な状態で搭載されるバッテリパック１の交換（貸出）予約を受け付ける。
なお、本実施形態において、モビリティ２０に搭載されるバッテリパック１の交換は、バッテリパック１の貸し出しと同義として説明する。
【００２９】
バッテリパック１は、図１に示すように、モビリティ２０に対して電力を供給するための二次電池であって、モビリティ２０に対して交換可能な状態で３本搭載されている。そして、バッテリパック１は、所定のバッテリステーション３０ａ〜３０ｃに設置された充電器３１（図２参照）を用いて充電されることで、繰り返し使用される。
モビリティ２０は、シート２０ａの下に搭載された３本のバッテリパック１から電力を供給されて走行する電動自動二輪車であって、前輪２１、後輪（駆動輪）２２、表示部２３（図２参照）、およびＧＰＳ（Global Positioning System）２４（図２参照）を備えている。
【００３０】
前輪２１は、モビリティ２０の前部と路面との間に設けられた操舵輪であって、ハンドル２０ｂの向きに連動して向きを変えることで、走行方向を切り替えることができる。
後輪２２は、バッテリパック１が搭載されたモビリティ２０の後部と路面との間に設けられた駆動輪であって、モータ（図示せず）によって回転駆動される。
表示部２３は、モビリティ２０のハンドル２０ｂの中央部分付近に設けられた表示装置であって、モビリティ２０に搭載された３本のバッテリパック１のバッテリ残量や、走行速度等を表示する。なお、表示部２３は、例えば、タッチパネル式の液晶表示装置によって構成されている。
【００３１】
また、表示部２３は、バッテリ予約装置１０に対してバッテリの交換予約を行う予約情報が入力される予約入力部２３ａを有している。そして、表示部２３は、後述する予約入力画面等、バッテリステーション３０ａ〜３０ｃを予約するための予約入力画面を表示する。
予約入力部２３ａは、３本のバッテリパック１のバッテリ残量が少なくなってきた場合に、使用者がその時点でのバッテリ残量を見て、交換時に必要とする総電力量等の情報が入力される。そして、予約入力部２３ａは、表示部２３に表示された予約入力画面を介して、使用者によって予約するバッテリステーション３０ａ〜３０ｃが入力される。
【００３２】
なお、図２に示すバッテリステーション３０ａ〜３０ｃは、説明の便宜上、３箇所となっているが、本実施形態のバッテリ予約装置１０によって予約対象となるバッテリステーションの数はこれに限定されるものではない。例えば、地域ごとにバッテリステーションの設置密度が異なる場合には、モビリティ２０の現在位置を中心とする半径数ｋｍ以内に設置された複数のバッテリステーションを全て予約対象としてもよい。
【００３３】
ＧＰＳ２４は、モビリティ２０に搭載されており、ＧＰＳ衛星からの信号を受信して、モビリティ２０の現在位置情報を取得する。そして、ＧＰＳ２４は、取得した現在位置情報をバッテリ予約装置１０の移動時間算出部１３へと送信する。
（バッテリ予約装置１０の構成）
バッテリ予約装置１０は、複数のバッテリステーション３０ａ〜３０ｃに保管されている充電済みあるいは充電中のバッテリパック１の交換予約を受け付ける装置であって、例えば、各バッテリステーション３０ａ〜３０ｃに設置されている。そして、バッテリ予約装置１０は、図２に示すように、入力受付部１１、バッテリ数取得部１２、移動時間算出部１３、バッテリステーション情報取得部１４、貸出個数容量算出部１５、バッテリステーション選択部１６、充放電計画作成部１７、および表示制御部１８を備えている。
【００３４】
本実施形態では、バッテリ予約装置１０によって予約されるバッテリパック１は、予約時点で充電が完了したもの、充電中のものを含む（図５のテーブル参照）。
入力受付部１１は、モビリティ２０の表示部２３（予約入力部２３ａ）を介して使用者から入力されたバッテリパック１の交換に関する予約情報を受け付ける。具体的には、入力受付部１１は、図３に示す予約入力画面Ｓ１を介して入力される貸し出し希望の総電力量（２０００ｗｈ）、およびバッテリステーション３０ａ〜３０ｃにおける受取希望時間（１０：００〜１０：１５）に関する情報を受け付ける。そして、入力受付部１１は、総電力量および受取希望時間に関する情報を貸出個数容量算出部１５へ、モビリティ２０のＩＤ情報をバッテリ数取得部１２へ、それぞれ送信する。
【００３５】
なお、入力受付部１１に入力される総電力量としては、図１のモビリティ２０の場合には、３本のバッテリパック１を同時に交換する際に必要な３本分の合計電力量を意味している。
バッテリ数取得部１２は、入力受付部１１において受け付けた予約情報に含まれるモビリティ２０ごとに付された固有のＩＤ等を用いて、モビリティ２０に搭載可能なバッテリパック１の数（図１のモビリティ２０では３本）を取得する。具体的には、バッテリ数取得部１２は、予め所定のＤＢ（Data Base）に保存されたＩＤに対応するモビリティ２０の情報を用いて、搭載可能なバッテリパック１の数を取得する。
【００３６】
移動時間算出部１３は、モビリティ２０に搭載されたＧＰＳ２４から取得したモビリティ２０の現在位置情報を取得する。そして、移動時間算出部１３は、現在位置から各バッテリステーション３０ａ〜３０ｃまでの距離を算出するとともに、各バッテリステーション３０ａ〜３０ｃまでの移動時間を算出する。
なお、各バッテリステーション３０ａ〜３０ｃまでの移動時間は、例えば、移動距離と、直近の１時間の平均速度とを用いて、算出することができる。
【００３７】
バッテリステーション情報取得部１４は、通信回線を介して、各バッテリステーション３０ａ〜３０ｃにおけるバッテリパック１の保持本数、充電状況（バッテリ残量）等の情報を取得する。具体的には、バッテリステーション情報取得部１４は、例えば、バッテリステーション３０ａにおいて保持されているバッテリパック１の数が１０本とすると、図５に示すように、各バッテリパック１のＩＤ、バッテリ残量、予約状況等に関する情報を取得する。
【００３８】
貸出個数容量算出部１５は、入力受付部１１において受け付けた総電力量および受取希望時間、バッテリ数取得部１２において取得されたモビリティ２０へのバッテリパック１の搭載可能本数、バッテリステーション情報取得部１４において取得された各バッテリステーション３０ａ〜３０ｃの情報を用いて、貸し出し可能なバッテリパック１の個数、容量を算出する。また、貸出個数容量算出部１５は、移動時間算出部１３において算出されたモビリティ２０の現在位置から各バッテリステーション３０ａ〜３０ｃまでの移動時間を取得する。
【００３９】
具体的には、貸出個数容量算出部１５は、入力受付部１１から受信した総電力量および受取希望時間に関する情報を取得するとともに、バッテリステーション情報取得部１４からバッテリステーション３０ａ〜３０ｃの情報を取得する。
これにより、貸出個数容量算出部１５は、使用者によって入力された受取希望時間に、各バッテリステーション３０ａ〜３０ｃにおいて希望する総電力量のバッテリパック１を用意できるか否かを判定するとともに、用意できるバッテリステーション３０ａ〜３０ｃにおけるバッテリパック１の組合せを算出する。
【００４０】
例えば、使用者によって入力された総電力量が２０００ｗｈである場合には、バッテリパック１の組合せとしては、図４に示すように、容量２０００ｗｈの１本、容量１０００ｗｈの２本、容量６６６．７ｗｈの３本、容量５００ｗｈの４本という組合せが考えられる。
ここで、貸出個数容量算出部１５は、図４に示すように、バッテリパック１の交換個数が少ない順に、優先順位を設定する。これは、使用者によるバッテリパック１の交換作業ができるだけ短時間で済ませるためには、交換個数が少ない方が好ましいからである。そして、貸出個数容量算出部１５は、これらの各組合せのうち、バッテリステーション３０ａ〜３０ｃにおける予約が可能か否かを判定する。
【００４１】
なお、図４に示す例では、１本のバッテリパック１の定格容量が１０００ｗｈであるため、１本のバッテリパック１で２０００ｗｈの総電力量を得ることは不可能であることから、交換個数１個は選択不可となる。よって、ここでは、交換個数２〜４個の選択肢の中で、優先順位を設定する。
そして、優先順位１位の１０００ｗｈのバッテリパック１を２本交換する選択肢については、バッテリステーション３０ａ〜３０ｃにおいて定格容量のバッテリパック１を２本準備できないことから、予約不可となっている。
【００４２】
このため、本実施形態では、優先順位２位の容量６６６．７ｋｗのバッテリパック１を３本交換、あるいは容量５００ｗｈのバッテリパック１を４本交換することが可能なバッテリステーション３０ａ〜３０ｃが選択肢として提示される。
バッテリステーション選択部１６は、貸出個数容量算出部１５において算出されたバッテリパック１の組合せを交換可能なバッテリステーション３０ａ〜３０ｃを提示する。
【００４３】
具体的には、バッテリステーション選択部１６は、図６に示すように、交換個数３個あるいは４個のバッテリパック１を交換可能なバッテリステーション（ステーションＡ〜Ｅ）が選択肢として提示される。
なお、使用者によって入力された総電力量、受取希望時間によっては、全てのバッテリステーション３０ａ〜３０ｃが予約条件を満たさないことも考えられる。この場合には、バッテリステーション選択部１６は、予約不可と、表示部２３の画面に表示させる。
【００４４】
これにより、使用者は、総電力量を減らす、あるいは受取希望時間を延長する等、入力する内容を変更することで、再度、予約可能なバッテリステーション３０ａ〜３０ｃを探すことができる。
充放電計画作成部１７は、選択肢として挙げられた複数のバッテリステーションＡ〜Ｅのうち、選択されたバッテリステーションＡにおいて予約されたバッテリパック１を用意するとともに、他の予約を受け付けるための充放電計画を作成する。
【００４５】
具体的には、充放電計画作成部１７は、例えば、選択されたバッテリステーションＡにおける現在のバッテリパック１のバッテリ残量と受取希望時間とに基づいて、受取希望時間までに準備可能なバッテリパック１およびその他の予約を受け付け可能な状態とするために複数のバッテリパック１の充放電計画を作成する。例えば、選択されたバッテリステーションＡにおいて、図５に示す１０本のバッテリパック１を保持しているとすると、容量６６６．７ｗｈのバッテリＩＤ１０００４，１０００８，１００１２の３本が予約される。よって、充放電計画作成部１７は、それ以外の予約受付を考慮して、その他のバッテリパック１、例えば、バッテリＩＤ１０００１，１０００５，１００１３，１００１６等の充放電計画を作成する。
【００４６】
なお、図５に示す例では、バッテリＩＤ１０００３のバッテリパック１（バッテリ残量９００ｗｈ）については、すでに他の使用者によって１１：００に受け取られる予定の予約受付が完了しているため、予約不可の状態となっている。
表示制御部１８は、バッテリステーション選択部１６において提示された複数の選択肢（バッテリステーションＡ〜Ｅ）を、図６に示すように、モビリティ２０の表示部２３の予約入力画面Ｓ２に表示させる。また、表示制御部１８は、予約入力画面Ｓ２を介して、使用者がバッテリステーションＡを選択すると、図７に示すように、予約内容を表示部２３の予約入力画面Ｓ３に表示させる。
【００４７】
予約入力画面Ｓ２には、５箇所のバッテリステーションＡ〜Ｅについて、６つの選択肢が表示される。具体的には、バッテリステーションＡにおけるバッテリパック１の貸出個数３個の選択肢が１つ、バッテリステーションＡ〜Ｅにおける貸出個数４個の選択肢が５つ表示される。
なお、図６に示す例では、６つの選択肢のうちの最上段の「４００円、個数３、ステーションＡ」の選択肢が選択された状態を示している。
【００４８】
予約入力画面Ｓ３には、選択されたバッテリステーションＡにおける予約内容が表示される。具体的には、予約された総電力量（２０００ｗｈ）、総電力量を満たすバッテリパック１の個数（３個）、受取希望時間（１０：００〜１０：１５）、貸出料金（￥４００）に関する情報が表示される。
＜バッテリ予約装置１０における予約受付までの流れ＞
本実施形態のバッテリ予約装置１０では、図８に示すフローチャートに従って、使用者にとって最適なバッテリステーション３０ａ〜３０ｃが選択され、バッテリパック１の交換予約を受け付ける。
【００４９】
すなわち、ステップＳ１１では、入力受付部１１において、モビリティ２０の表示部２３の予約入力部２３ａから入力された、貸し出しを希望する総電力量と受取希望時間に関する情報を受け付ける。
次に、ステップＳ１２では、入力してきたモビリティ２０のＩＤを用いて、バッテリ数取得部１２において、モビリティ２０に搭載可能なバッテリパック１の数を取得する。なお、図１に示すモビリティ２０の場合には、搭載可能な数として３本という情報が取得される。
【００５０】
次に、ステップＳ１３では、移動時間算出部１３において、モビリティ２０に搭載されたＧＰＳ２４から受信した現在位置と各バッテリステーション３０ａ〜３０ｃまでの距離から、各バッテリステーション３０ａ〜３０ｃまでの移動時間が算出される。なお、上述したように、移動時間の算出には、直近の１時間のモビリティ２０の平均速度等が用いられる。
【００５１】
次に、ステップＳ１４では、バッテリステーション情報取得部１４において、複数のバッテリパック１を保持している各バッテリステーション３０ａ〜３０ｃの情報が取得される。具体的には、各バッテリステーション３０ａ〜３０ｃにおいて保持されている複数のバッテリパック１の個数、充電状況、予約の有無等の情報が取得される。
次に、ステップＳ１５では、貸出個数容量算出部１５において、使用者が貸し出しを希望する総電力量、受取希望時間の条件を満たすバッテリステーション３０ａ〜３０ｃがあるか否かを判定する。そして、条件を満たすバッテリステーション３０ａ〜３０ｃがある場合には、そのバッテリステーション３０ａ〜３０ｃにおいて用意できるバッテリパック１の数、容量が算出される。
【００５２】
なお、ここで、使用者によって入力された総電力量、受取希望時間の条件を満たすバッテリステーション３０ａ〜３０ｃがない場合には、上述したように、使用者に対して、予約不可であることを表示する。この場合には、条件の変更を促す予約入力画面を表示部２３に表示させてもよい。
次に、ステップＳ１６では、充放電計画作成部１７において、予約候補として挙げられたバッテリステーション３０ａ〜３０ｃについて、予約されたバッテリパック１の充電計画とともに、予約後のバッテリパック１の充放電計画を作成する。
【００５３】
次に、ステップＳ１７では、バッテリステーション選択部１６において、予約先候補として、使用者の入力条件を満たす貸し出し可能なバッテリパック１を保持する複数のバッテリステーション３０ａ〜３０ｃを提示する。
なお、バッテリステーション選択部１６において提示された複数のバッテリステーションＡ〜Ｅは、表示制御部１８によって、図６に示すように、モビリティ２０の表示部２３に予約入力画面Ｓ２として表示される。
【００５４】
次に、ステップＳ１８では、図７に示すように、モビリティ２０の表示部２３に表示された複数のバッテリステーションＡ〜Ｅの中から、使用者によって選択されたバッテリステーションＡの予約内容が予約入力画面Ｓ３として表示され、使用者が予約ボタンを選択することで予約受付が完了する。
［他の実施形態］
以上、本発明の一実施形態について説明したが、本発明は上記実施形態に限定されるものではなく、発明の要旨を逸脱しない範囲で種々の変更が可能である。
【００５５】
（Ａ）
上記実施形態では、図３に示すように、使用者から予約入力を行う入力画面として、総電力量と受取希望時間とが入力される予約入力画面Ｓ１を用いた例を挙げて説明した。しかし、本発明はこれに限定されるものではない。
例えば、使用者から予約入力される画面としては、図９に示すように、総電力量の代わりに、貸し出して欲しいバッテリパックの必要電力量を段階的に示した複数のボタン「多」、「中」、「小」等を用いて選択させる予約入力画面Ｓ４を用いてもよい。
【００５６】
すなわち、入力受付部１１に入力される総電力量に関する情報として、「多」、「中」、「小」等の定性的な表現を用いて選択させてもよい。
この場合には、使用者は、貸し出しを希望するバッテリパックの必要電力量を段階的に示した複数のボタンを感覚的に選択するだけでよいため、より使い勝手のよいバッテリ予約装置を提供することができる。
【００５７】
また、電力消費体がモビリティの場合には、図１０に示すように、総電力量の値の代わりに、総電力量に関する情報として、バッテリパックを交換後の走行予定距離を入力させる予約入力画面Ｓ５を用いてもよい。
この場合には、使用者が、目的地までの走行予定距離等から距離を入力するだけで、その距離の走行に必要な必要電力量が算出されて、交換すべきバッテリパックの個数、容量を算出することができる。
なお、入力された距離から必要電力量を算出する過程においては、例えば、直近の走行時における電力消費量を参考にして必要電力量を算出することが好ましい。あるいは、モビリティの平均的な１km走行時の電力消費量を参照してもよい。
【００５８】
（Ｂ）
上記実施形態では、図３に示すように、使用者から予約入力を行う入力画面として、総電力量と受取希望時間とが入力される予約入力画面Ｓ１を用いた例を挙げて説明した。しかし、本発明はこれに限定されるものではない。
例えば、受取希望時間については、入力項目から削除されてもよい。
この場合には、使用者は、総電力量に関する情報のみを入力し、予約入力画面に表示された複数のバッテリステーションの中から、希望する受取時間に受け取りが可能なバッテリステーションを選択すればよい。
【００５９】
（Ｃ）
上記実施形態では、図６に示すように、予約入力画面Ｓ２に提示される予約可能な選択肢として、同じ容量のバッテリパック１を３本あるいは４本組み合わせて交換可能なバッテリステーション３０ａ〜３０ｃを提示する例を挙げて説明した。しかし、本発明はこれに限定されるものではない。
例えば、各バッテリステーションにおいて保持されている複数のバッテリパックについて、異なる容量のバッテリパックを組み合わせて、使用者が入力した総電力量以上になるように選択されたバッテリパックの組合せを用意できるバッテリステーションを選択肢として挙げてもよい。
【００６０】
（Ｄ）
上記実施形態では、入力受付部１１において受け付けた予約情報に含まれるモビリティ２０ごとに付された固有のＩＤ等を用いて、モビリティ２０に搭載可能なバッテリパック１の数（図１のモビリティ２０では３本）を取得する例を挙げて説明した。しかし、本発明はこれに限定されるものではない。
例えば、モビリティ等の電力消費体に搭載可能なバッテリパック数は、予めＤＢに保存されたモビリティに付された固有のＩＤを用いて取得する方法以外に、モビリティ等の電力消費体から、予約情報とともに取得してもよい。
【００６１】
（Ｅ）
上記実施形態では、図６に示すように、予約先候補となる複数のバッテリステーション３０ａ〜３０ｃについて、バッテリパック１の貸出料金が安い順、交換個数が少ない順に表示した予約入力画面Ｓ２を用いた例を挙げて説明した。しかし、本発明はこれに限定されるものではない。
例えば、バッテリステーション到着後の待ち時間を算出して、待ち時間が短い順に優先順位を設定してもよい。
【００６２】
（Ｆ）
上記実施形態では、モビリティ２０におけるバッテリパック１がシート２０ａの下に搭載されている例を挙げて説明した。しかし、本発明はこれに限定されるものではない。
例えば、モビリティ２０におけるハンドル２０ｂの下の部分に配置してもよい。
【００６３】
（Ｇ）
上記実施形態では、バッテリ予約装置１０がバッテリステーション３０ａ〜３０ｃに設置された例を挙げて説明した。しかし、本発明はこれに限定されるものではない。
例えば、モビリティおよびバッテリステーションとの間で通信可能な環境であれば、バッテリパックの予約状況を集中管理する予約管理センター等のバッテリステーション以外の場所に設置されていてもよい。
【００６４】
（Ｈ）
上記実施形態では、バッテリ予約装置１０が、各バッテリステーション３０ａ〜３０ｃに設置されている例を挙げて説明した。しかし、本発明はこれに限定されるものではない。
例えば、各モビリティにバッテリ予約装置が搭載されていてもよい。
この場合には、各モビリティが、通信部を介して、各バッテリステーションにおけるバッテリパック充電状況等の必要な情報を取得することで、最適なバッテリステーションを提示することができる。
【００６５】
（Ｉ）
上記実施形態では、電力消費体としての電動自動二輪車（モビリティ２０）に、３本のバッテリパック１が搭載される例を挙げて説明した。しかし、本発明はこれに限定されるものではない。
例えば、電力消費体に搭載されるバッテリパックは、２本あるいは４本以上であってもよい。
【００６６】
（Ｊ）
上記実施形態では、バッテリステーション３０ａ〜３０ｃにおいてそれぞれ４個以上のバッテリパック１が充電器３１においてそれぞれ保持されている例を挙げて説明した。しかし、本発明はこれに限定されるものではない。
例えば、大規模なバッテリステーションの場合には、充電器において保持されるバッテリパックの数は、３０個以上であってもよい。
この場合には、条件を満たすバッテリパックの組合せが増えるため、そのバッテリステーションにおいて多数の貸し出し予約を受け付けることができる。
【００６７】
（Ｋ）
上記実施形態では、電力消費体（モビリティ２０）として電動自動二輪車に対して電力を供給するバッテリパック１を例として挙げて説明した。しかし、本発明はこれに限定されるものではない。
【００６８】
例えば、電動自動二輪車以外にも、電動一輪車、電動自転車、電動アシスト自転車、電気自動車（ＥＶ）、ＰＨＶ（Plug-in Hybrid Vehicle）等の他のモビリティ等に電力を供給するためのバッテリパックに対して本発明を適用してもよい。
あるいは、本発明のバッテリパックから電力が供給される電力消費体としては、モビリティに限らず、交換可能なバッテリによって駆動される他の電気製品であってもよい。
【産業上の利用可能性】
【００６９】
本発明のバッテリ予約装置は、複数のバッテリパックが搭載される電力消費体のためのバッテリパックの貸し出しの予約時における操作を簡素化することができるという効果を奏することから、各種製品に搭載されるバッテリパックの貸し出し予約を受け付ける予約装置として広く適用可能である。
【符号の説明】
【００７０】
１      バッテリパック
１０      バッテリ予約装置
１１      入力受付部
１２      バッテリ数取得部
１３      移動時間算出部
１４      バッテリステーション情報取得部
１５      貸出個数容量算出部
１６      バッテリステーション選択部
１７      充放電計画作成部
１８      表示制御部
２０      モビリティ
２０ａ    シート
２０ｂ    ハンドル
２１      前輪
２２      後輪
２３      表示部
２３ａ    予約入力部
２４      ＧＰＳ
３０ａ〜３０ｃ  バッテリステーション
３１      充電器
Ｓ１〜Ｓ５  予約入力画面
Ｓ１１〜Ｓ１８  ステップ
【図１】
0006597218.tif 000002
【図２】
0006597218.tif 000003
【図３】
0006597218.tif 000004
【図４】
0006597218.tif 000005
【図５】
0006597218.tif 000006
【図６】
0006597218.tif 000007
【図７】
0006597218.tif 000008
【図８】
0006597218.tif 000009
【図９】
0006597218.tif 000010
【図１０】
0006597218.tif 000011